(57)【要約】【課題】遊技球の発射方向を確実且つ容易に調節できるようにする。【解決手段】往復又は回動自在に設けられた打球槌２２の先端に取付けられた槌先部材２６によって、遊技領域１４ａに遊技球８を打ち出すための遊技機の遊技球発射装置２０において、前記槌先部材２６の打撃面２６ａを斜面とし、該斜面２６ａの方向を可変とすると共に、該槌先部材２６に、斜面の方向を示す目印（溝２６ｃやカット面２６ｄ）を設ける。【選択図】図１１
2006345922.tif 000002
【特許請求の範囲】
【請求項１】
往復又は回動自在に設けられた打球槌の先端に取付けられた槌先部材によって、遊技領域に遊技球を打ち出すための遊技機の遊技球発射装置において、
前記槌先部材の打撃面が斜面とされ、
該斜面の方向が可変とされると共に、
該槌先部材に、斜面の方向を示す目印が設けられていることを特徴とする遊技機の遊技球発射装置。
【請求項２】
請求項１に記載の遊技球発射装置を備えたことを特徴とする遊技機。
【発明の詳細な説明】
【技術分野】
【０００１】
本発明は、遊技機の遊技球発射装置及び遊技機に係り、特に、往復又は回動自在に設けられた打球槌の先端に取付けられた槌先部材によって、遊技領域に遊技球を打ち出すための遊技球発射装置に用いるのに好適な、遊技球の発射方向を調節することが可能な遊技機の遊技球発射装置、及び、これを備えた遊技機に関する。
【背景技術】
【０００２】
遊技機の遊技球、例えば図１にガラス面１２を開いた状態を示すパチンコ機１０のパチンコ球を、遊技盤１４の遊技領域１４ａに打ち出すために使用する遊技球発射装置２０には、図２（特許文献１の図６に対応）（ａ）に示すような回転動作型の発射装置と、同図（ｂ）に示すような直線動作型の発射装置がある。図１において、１６は発射／打力調整用の操作ハンドル、１８は発射レール、図２において、８は遊技球、２２は、回転軸２４の周りに回動自在とされた打球槌、２６は槌先部材、３２は、ソレノイド３４により往復動自在とされた打球槌である。
【０００３】
前記回転動作型に使用されている槌先部材、直線動作型に使用されている槌先部材のいずれも、打球時の騒音を防止するため、その構造及び材質は、弾性又は緩衝性が必要であり、一般的には、槌先部材２６に鉄製のコイルスプリングや、ウレタン等のゴム類又は樹脂製の成形品が使用されている。
【０００４】
図３（特許文献２の図１に対応する正面図）、図４（特許文献２の図４に対応する斜視図）、図５（特許文献２の図５に対応する分解斜視図）、図６（特許文献２の図３に対応する裏面図）は、特許文献２に記載された従来の遊技球発射装置（打球ユニットとも称する）２０の構成例を示すもので、パチンコ球を遊技盤に打ち出すために、回転動作型の打球槌２２の槌先部材２６として、鉄製のコイルスプリングを使用している事例である。
【０００５】
図において、４０はベースプレート、４２は、打球槌２２の回動領域を跨ぐよう該ベースプレート４０の裏面に固定されたモータ台、４４は、該モータ台４２に固定された打球槌駆動モータ、４６は、該モータ４４の回転軸４４ａに固定されたカム、４８は、該カム４６と係合するカム受けローラ、５０は、打球槌２２を発射位置に止めるための、例えばゴム製の打球槌ストッパ、５２は、打球槌２２の打球力（打力）を調節するために、前記ベースプレート４０の表面に取付けられたプーリボックス５４及び付勢装置６４を備えた打力調節ユニット、５６及び５８は、該プーリボックス５４に内蔵された原動プーリ及び補助プーリ、６０は、一端が該原動プーリ５６に係止され、他端が補助プーリ５８に巻き掛けて外部に引き出すようにされたワイヤ、６２は、図１に示した操作ハンドル１６が固定される、前記原動プーリ５６に達する軸孔６２ａが中心に貫通されたハンドル固定部、６６及び６８は、前記付勢装置６４を構成する槌側カップ及びハンドル側カップ、７０は、両カップ６６、６８をつなぐ、両カップ６６、６８間に圧縮状態で組込まれた、打力を与えるための捻りコイルばね、６６ａは、該コイルばね７０の一端を掛けるためのばね掛けスリット、７２は、前記打球槌２２の揺動運動を発射球供給装置（図示省略）に伝達して、打球槌２２の打球動作と発射球供給装置の供給動作を同期させるための、前記槌側カップ６６を利用する原動カムと、該原動カム（６６）のローラ６７で作動する、ベースプレート４０の固定軸４１に遊篏された従動部材７４で構成される中間伝達手段、７６及び７８は、該従動部材７４を構成する、軸８０で揺動自在にピン接合された揺動板及び作動腕、８２は、該作動腕７８を上向きに付勢するためのばねであり、前記ハンドル側カップ６８外周のプーリ溝６８ａに、前記ワイヤ６０の他端が止着され、操作ハンドル１６（図１）の回転操作が、原動プーリ５６に伝わり、更に、ワイヤ６０を介して、ハンドル側カップ６８に伝わり、捻りコイルばね７０の引張量を変えて打力を調整するようにされている。
【０００６】
又、図７（特許文献３の図９に対応）は、特許文献３に示された、回転動作型の打球槌２２の槌先部材２６として、ウレタン等のゴム類又は樹脂製の成形品が使用されている構成例を示すものである。図において、２２ａは、槌先部材２６の取付部、２２ｂは、打球槌２２を駆動源の出力軸に取付けるための取付穴である。
【０００７】
又、特許文献４には、図８（特許文献４の図１に対応）に示す如く、槌先部材２６先端の打球面２６ａの面方向を軸方向に対して非直角とし、外周面２６ｂを多角形等の非真円形状として、槌先部材２６を打球槌２２に対して回転可能に設けることが記載されている。
【０００８】
【特許文献１】特開２００３−１０４１２号公報
【特許文献２】特開２００３−７９８４４号公報
【特許文献３】特開２００４−４９６０９号公報
【特許文献４】特開２００３−２３６０９５号公報
【発明の開示】
【発明が解決しようとする課題】
【０００９】
しかしながら、特許文献１乃至３に記載の発射装置では、槌先部材２６に発射方向調節機構が無かったため、パチンコ球の発射方向が、部品精度、組付精度により決まってしまい、発射方向の調節ができなかった。そのため、発射後のパチンコ球が、図１に示した遊技盤１４側に寄ったり、ガラス面１２側に寄ったり、更に極端な場合には、遊技盤１４とガラス面１２の間を衝突しながらジグザグに動き、発射精度、即ち発射後のパチンコ球の球飛びがばらつき、安定しないという問題点があった。
【００１０】
なお、特許文献４には、治具で槌先部材を回転させて打球面の倒れを調整して打球方向を調整することが記載されているが、十分ではなく、更に、打球面の倒れている方向を知ることはできなかった。
【００１１】
本発明は、前記従来の問題点を解決するべくなされたもので、遊技球の発射方向を確実に、且つ容易に調節可能とすることを課題とする。
【課題を解決するための手段】
【００１２】
本発明は、往復又は回動自在に設けられた打球槌の先端に設けられた槌先部材によって、遊技領域に遊技球を打ち出すための遊技機の遊技球発射装置において、前記槌先部材の打撃面を斜面とし、該斜面の方向を可変とすると共に、該槌先部材に、斜面の方向を示す目印を設けることにより、前記課題を解決したものである。
【００１３】
本発明は、又、前記の遊技球発射装置を備えたことを特徴とする遊技機を提供するものである。
【発明の効果】
【００１４】
本発明によれば、槌先部材の打撃面を斜面としたので、遊技球の発射方向を確実に調節することができる。更に、槌先部材に斜面の方向を示す目印を設けたので、発射方向の調整を容易に行なうことができる。
【００１５】
このようにして、発射方向を調節することができるので、この調節を行なうことにより、発射後の遊技球が、遊技盤とガラス面に衝突することなく、安定した球飛びを得ることができる。
【００１６】
又、槌先部材以外の部品を分解することなく、発射方向が調節できるので、組付後や出荷検査後、又、市場においても、簡単に発射方向の調節ができる。
【００１７】
更に、槌先部材は、成形可能な形状なので、従来の成形タイプの槌先部材に対して、コストアップすることなく、安価に発射方向調節機能を設けることができる。
【発明を実施するための最良の形態】
【００１８】
以下図面を参照して、本発明の実施形態を詳細に説明する。
【００１９】
本発明の第１実施形態は、図９にベースプレート４０の裏面側を示す如く、発射レール１８の一部、打球槌２２、その回転軸２４、槌先部材２６、打球槌駆動モータ４４、打球槌ストッパ５０、遊技球静止装置９０及び操作ハンドル１８の先端を挿入して固定するためのハンドル固定台９２を備えた遊技球発射装置２０において、図１０に詳細に示す如く、槌先部材２６の打球面２６ａを斜面とすると共に、該斜面方向を示す目印として溝２６ｃを側面に設けたものである。
【００２０】
このような槌先部材２６を打球槌２２に対して回動することで、図１１（ａ）、（ｂ）、（ｃ）に示す如く、遊技球８が飛ぶ方向が変化することが実験により確認できた。
【００２１】
本実施形態においては、斜面方向を示す目印を斜面の一番低い位置に設けたので、球の発射方向を直接明示できる。なお、斜面方向を示す目印の位置は、これに限定されず、逆に斜面の一番高い側に設けることも可能である。
【００２２】
目印の種類も溝に限定されず、穴や突起を設けたり、図１２（Ａ）（正面図）及び（Ｂ）（側面図）に示す第２実施形態のように、一面を削ってカット面２６ｄとしてもよい。特に、穴の場合には、治具の先端を差込むことで、回転も容易となる。
【００２３】
前記実施形態においては、本発明が、回転動作型の遊技球発射装置に適用されていたが、本発明の適用対象は、これに限定されず、図２（ｂ）に示したような直線動作型の遊技球発射装置にも、同様に適用できる。更に、パチンコ機以外の遊技機一般にも、同様に適用できる。
【図面の簡単な説明】
【００２４】
【図１】ガラス面を開いた状態のパチンコ機を示す斜視図
【図２】特許文献１に記載された遊技球発射装置の種類を示す図
【図３】特許文献２に記載された遊技球発射装置の正面図
【図４】同じく斜視図
【図５】同じく分解斜視図
【図６】同じく裏面図
【図７】特許文献３に記載された従来の打球槌を示す分解斜視図
【図８】特許文献４に記載された打球槌の構成を示す正面図
【図９】本発明の第１実施形態の遊技球発射装置の要部構成を示す斜視図
【図１０】第１実施形態の槌先部材を示す拡大図
【図１１】同じく作用を示す正面図
【図１２】第２実施形態の槌先部材を示す（Ａ）正面図及び（Ｂ）側面図
【符号の説明】
【００２５】
８…遊技球
１０…パチンコ機
１４…遊技盤
１４ａ…遊技領域
１６…操作ハンドル
２０…遊技球発射装置（打球ユニット）
２２…打球槌
２４…回転軸
２６…槌先部材
２６ａ…打球面
２６ｃ…溝（目印）
２６ｄ…カット面（目印）
【図１】
2006345922.tif 000003
【図２】
2006345922.tif 000004
【図３】
2006345922.tif 000005
【図４】
2006345922.tif 000006
【図５】
2006345922.tif 000007
【図６】
2006345922.tif 000008
【図７】
2006345922.tif 000009
【図８】
2006345922.tif 000010
【図９】
2006345922.tif 000011
【図１０】
2006345922.tif 000012
【図１１】
2006345922.tif 000013
【図１２】
2006345922.tif 000014